(57)【要約】【課題】本発明のドラムシステムは、可動式でねじ込み式の狭い首部（変調管）によって外部の空気と連絡する剛性の構造のドラム本体からなる独自の著しく改良された共鳴ドラムシステムを使用する。【解決手段】第１の開口端および第２の開口端を備えるドラム胴、振動部材を含み該第１開口端を被覆するドラムヘッド、該第２の開口端を横切って延在しこれに固定されるねじ込み開口を備える覆い、および第１端部および第２端部を有する共鳴部材を含み、膜を打つ際の高い共鳴周波数に左右されない低い共鳴周波数を向上させ操作するために、第１端部が気密関係でねじ込み開口と分離可能に結合するためのねじ込み手段を有し、低域から高域までの共鳴周波数の範囲で音を生成するための振動部材を備えるドラム。【選択図】図１
2008090308.tif 000002
【特許請求の範囲】
【請求項１】
低域から高域までの共鳴周波数の範囲で音を生成するための振動膜を備えるドラムであって、
第１の開口端および第２の開口端を有するドラム胴と、
前記第１開口端を被覆する音振動部材を有するドラムヘッドと、
前記第２の開口端を横切って延在しこれに固定されるねじ込み開口を有する覆いと、
第１端部および第２端部を有し、前記膜を打つ際の前記高い共鳴周波数に左右されない前記低い共鳴周波数を向上させ操作するために、前記第１端部が気密関係で前記覆いの前記ねじ込み開口と分離可能に結合するためのねじ込み手段を有する共鳴部材と
を備えるドラム。
【請求項２】
前記共鳴部材が１５．２４ｃｍ（６インチ）の長さである請求項１に記載のドラム。
【請求項３】
前記共鳴部材が２０．３２ｃｍ（８インチ）の長さである請求項１に記載のドラム。
【請求項４】
前記共鳴部材が３５．５６ｃｍ（１４インチ）の長さである請求項１に記載のドラム。
【請求項５】
前記共鳴部材の直径が１０．１６ｃｍ（４インチ）の長さである請求項１に記載のドラム。
【請求項６】
前記共鳴部材の前記第１端部が、前記共鳴部材と前記ねじ込み開口の間の前記気密接続を可能にし確実にするためのフランジを含む、請求項１に記載のドラム。
【請求項７】
前記膜が０．０１７ｃｍ（０．００７インチ）の厚みであり、直径が概ね１７．７７ｃｍ（７インチ）から２７．９ｃｍ（１１インチ）の範囲である、請求項１に記載のドラム。
【請求項８】
前記膜が０．０２５ｃｍ（０．０１０インチ）から０．０３８ｃｍ（０．０１５インチ）の厚みであり、直径が概ね２５．４ｃｍ（１０インチ）から４５．７２ｃｍ（１８インチ）の範囲である、請求項１に記載のドラム。
【請求項９】
前記膜が０．０６３ｃｍ（０．０２５インチ）から０．１０ｃｍ（０．０４０インチ）の厚みであり、直径が概ね２５．４ｃｍ（１０インチ）から３３．０２ｃｍ（１３インチ）の範囲である、請求項１に記載のドラム。
【請求項１０】
前記膜が０．０８８ｃｍ（０．０３５インチ）から０．１５ｃｍ（０．０６０インチ）の厚みであり、直径が概ね２０．３２ｃｍ（８インチ）から３８．１ｃｍ（１５インチ）の範囲である、請求項１に記載のドラム。
【請求項１１】
前記共鳴部材が管状の形状である、請求項１に記載のドラム。
【請求項１２】
前記共鳴部材が円錐形の形状である、請求項１に記載のドラム。
【請求項１３】
４つの側壁、および振動手段を有する第１端部壁、およびねじ込み開口を有する第２端部壁を備える箱様の容器と、前記膜を打つ際の前記高い共鳴周波数に左右されない前記低い共鳴周波数を向上させ操作するために、気密関係で前記ねじ込み開口と分離可能に結合するためのねじ込み手段を有する第１端部および第２端部を有する共鳴部材とを備える打楽器。
【請求項１４】
前記振動手段が薄い木板を備える請求項１３に記載の打楽器。
【発明の詳細な説明】
【技術分野】
【０００１】
本発明は、一般に音楽ドラムの分野に関し、より詳細には、よく知られた種々の民族特有のおよび他のタイプのドラムの本物の音を正確にシミュレートするためにドラムの音のピッチの高低を変調することができるドラムの改良に関する。
【背景技術】
【０００２】
音楽ドラムは豊かで多様な歴史を有する。ドラムの胴部分はあらゆる形状およびサイズで製造されており、木、繊維材料、金属などを含めた種々の材料から作成されてきた。ドラムヘッドは一般に動物の皮または合成の代用品から作成される。
【０００３】
従来技術において、ドラムが生成する音は、限定するものではないがドラムのサイズ、胴の材料成分、ドラムヘッドの材料成分およびヘッドの緊縮性を含めたいくつかの要因によって変化する。これらすべての要因は、音調およびピッチ、詳細にはドラムが生成する音の独自の特性に対してかなりの影響を与えることができる。一旦所定の位置に配置されると、これらの要因のいずれの効果も変わらない傾向にある。したがって、ある種の材料で形成される胴は、その特定の材料の独自の特性によってドラムが生成する音調またはピッチに影響を与える。この特定の材料成分が損なわれない限り、すなわち何らかの理由により老朽化しないまたは不具合を包含しない限り、この材料がドラムの音に与える影響は比較的一定のままである。同じことがドラムヘッドの材料にも当てはまり、これもまたその固有の独自の特性を包含する。ドラムヘッドの材料が比較的損なわれずこのヘッドが一定の緊縮性で維持される限り、ドラムヘッドがドラムの音に与える効果およびその独自の音の特性も、比較的一定のままである。
【０００４】
しかしながら従来技術に欠けているのは、単に互換性のある構成要素によって変調される単一の楽器を使用して、種々の独自のドラムの音を生成することが可能なドラムシステムを実現する手段および構造である。より詳細には、これは例えばアフリカのジャンベ、中東のドゥンベック、日本の締めドラムおよびアフリカ系キューバのコンガによって生成される音を含めた本物のドラム音をシミュレートするために、一定の周波数（詳細にはバス音調）で振動を生成する独自の共鳴ドラムシステムを含める。
【０００５】
ドゥンベックおよびジャンベなど多くの杯型のおよび腰部のくびれた様式のドラムは、開口穴または首部を有する容器または空洞を備える共鳴器によるヘルムホルツ共鳴システムとして知られる物を使用する。
【０００６】
ヘルムホルツ共鳴器は、所望の波長がシステムの物理的寸法より著しく長い場合に有用な音響システムの一例である。ヘルムホルツ共鳴器の他の知られた例は、空のボトルの頂部に横向きに息を吹きかけることを含む。杯および椀形状のドラムは基本的に、首部に横向きに空気を吹きかける代わりにドラムヘッドを打つことによって空気を動かす（空洞および首部の内外で）ことを除いて、空のボトルと同様の方法で作用する。記載のタイプの椀または空洞形状のドラムは、高低の２つの明白な音を生成する。高倍音は一般にドラムヘッドそれ自体から発せられ、ドラムヘッドがいかに緊密にまたはぴんと張られているかにかなり左右される。これらのより高いピッチ音は、ドラムヘッドから発せられ周囲に広がる。バス音調はドラムの底部から発散され、「ヘルムホルツ」共鳴器または、首部と連結するドラムの空洞によって生成される。共鳴周波数は、音の速さと共に首部の半径、首部の領域および首部の長さによって測定される。首部の直径が小さいと、ピッチまたは共鳴周波数が低下する。しかしながら、効果的にピッチを下げるために手または腕を本体の上部および内部に置くこと以外にこれらドラムの共鳴周波数を変える手段はない。この技
法はその限界を有することは明確である。この独自の共鳴システムは、極めて低い周波数を生成する直径の小さい（２０.３２ｃｍ（８”））（「”」はインチを意味する、以下同じ）ドゥンベックドラムなどのドラムで明白である。ドラムを床に置く場合、ドラムが「止め具」を形成し、空気が首部または本体から外に漏れる、またこの中に戻らないようにするので、低い共鳴周波数は存在しない。特定のドラムは、日本の締めドラムまたは日本の平ドラムのようにドラムヘッドの動きによって空気が漏れることができないように、意図的に閉鎖式に形成される。コンガドラムは床に平らに置いて弾くこともあるので、これにより「止め具」を形成し、楽器からバス音を排除する。
【発明の開示】
【発明が解決しようとする課題】
【０００７】
本発明のドラムシステムは、取り外し可能でねじ込み式の狭い首部（変調管）によって外部の空気と連絡する剛性の構造のドラム本体からなる独自のおよび著しく改良された共鳴ドラムシステムを使用する。共鳴の周波数は、空洞内の空気のコンプライアンスに関連して共鳴する首部のおよび首部付近の空気の容積によって測定される。空気を圧縮すると、その圧力が増大し膨張して空気の元の容積に戻る傾向があるので、この空気の弾力性によってバス音が持続する。
【課題を解決するための手段】
【０００８】
本発明によると、「変調器」または「ピッチ変調器」と呼ばれる互換性のある共鳴管を備え、直径および／または形状が変化する音楽ドラムは、長く持続し変化する共鳴バス音を効果的に形成する。これらの互換性のある構成要素それぞれは、ドラムヘッドの張力に左右されない独自の共鳴周波数を生成する。上述の「止め具」の音は、ねじ込み式変調管を取り外しそれをねじ込み栓と取り替えることによって容易に実現する。
【０００９】
したがって本発明は、単に使管または同様の形状の構造体と、「止め具」栓とを交換する取り外し可能な互換的な接続部を使用するだけでコンガ、ジャンベ、ドゥンベックおよび日本の締めドラムの独自の特徴的音を生成することができる単一の軽量で小型の音楽ドラムを備える。
【発明を実施するための最良の形態】
【００１０】
図１は本発明のピッチ変調ドラム１０のいくつかの好ましい実施形態の１つを示す。ドラム１０は、ドラム本体１１、低域から高域の共鳴周波数の範囲で音を生成する振動部材１２、第１の開口端１６および第２の開口端１８を含むドラム胴１４、膜１２および取付環１３を含み第１の開口端１６を被覆するドラムヘッド２０、ドラム耳１５、およびねじ込み開口２４を含み、第２の開口端１８を横切って延在しこれに固定される覆い２２を備える。またねじ込み第１端部２８および第２端部３０を有する共鳴部材２６が形成される。ねじ込み第１端部２８は、膜を打ったとき高いピッチの周波数に左右されない低い共鳴（またはバス）周波数を向上させ操作するために、気密関係でねじ込み開口２４と分離可能に結合するように形成される。
【００１１】
共鳴部材２６は、１５．２４ｃｍ（６インチ）、２０．３２ｃｍ（８インチ）および３５．５６ｃｍ（１４インチ）の管２６ａ、２６ｂおよび２６ｃ（図６）のそれぞれを含み、５．０８ｃｍ（２インチ）から１０．１６ｃｍ（４インチ）（またはそれ以上）の範囲の直径であり、共鳴部材３３として図４に示すように円錐形状の構造である種々の形状およびサイズで構成されてよい。また設置されると、全部ではないが実際はほとんどのバス音を消去する止め具３４を図６に示す。
【００１２】
このことを確実にするために、第１ねじ込み端部２８は対合するねじ込み開口２４に気密関係で固定的に装着され、接続部を密封するためにフランジ部材３２が設置される。
図７は、箱様の形状であり、接続部が密封式に気密である壁３８から延在する共鳴部材２６を含むケージャンドラム３６を示す。ケージャンの箱は薄い木製の膜３７を打つと単一のバス音を生成するように大きな開口を１つ有する。管２６ａ、２６ｂおよび２６ｃのような種々の長さの変調管を採用することにより、ケージャンドラム３６のバス音調を低くすることができ、音調の長さを増大させることができる。
【００１３】
図１０から１５は、種々の共鳴部材２６としてバス周波数の向上を示す視覚的表示（マイクロホン１９ａ、１９ｂを介して受信され電線２１ａおよび２１ｂを介して伝送される信号から変換される）を提供する。
【００１４】
したがって図１０は、止め具３４がドラム本体１１に設置され大多数の音がドラムヘッド２０の高倍音から生じる際に生成される周波数を示す。
図１１は、止め具３４がドラム本体１１から除去されバスすなわち低周波数が生成されるが、大多数の音は依然としてドラムヘッド２０から生じている際に生成される周波数を示す。
【００１５】
図１２は管２６ａ（１５．２４ｃｍ（６”））がドラム本体１１に設置されバス（または低）音が増加し、比例してドラムヘッド２０から生じるより高い範囲の音が減少する際に生成される周波数を示す。
【００１６】
図１３は、管２６ｂ（２０.３２ｃｍ（８”））がドラム本体１１に設置されバス（または低）音がさらに増加し、比例してドラムヘッド２０から生じるより高い範囲の音をさらに減少する際に生成される周波数を示す。
【００１７】
図１４は、管２６ｃ（３５．５６ｃｍ（１４”））がドラム本体１１に設置されバス（または低）音がより一層増加し、比例してドラムヘッド２０から生じるより高い範囲の音がさらに低下する際に生成される周波数を示す。
【００１８】
アフリカのジャンベ（図８Ａ）、中東のドゥンベック（図８Ｂ）、アフリカ系キューバのコンガ（図８Ｃ）、および日本の締めドラム（図８Ｄ）は、それらのドラムの「族」において相対的に２５．４ｃｍ（１０”）のヘッドのサイズを有する。したがって、本発明のドラム１０の好ましい実施形態は、２５．４ｃｍ（１０”）のドラムヘッドを含む。したがって、ドラム１０は、楽器が本物のドゥンベック、ジャンベ、コンガおよび締めドラムの音を実現するのを可能にする固有のサイズの共鳴部材２６に合った適切な厚みのドラムヘッド２０に適合する。
【００１９】
中東のドゥンベックドラムは典型的に０．１７７８ｃｍ（０．００７”）の厚みの振動膜に適合する。この特定のドラムヘッドの厚みが、高品質の本物の音を出すドゥンベック楽器を概ね連想させる微妙な差異の音調およびピッチを生成する。このドラムヘッドのサイズは一般に１７．７８ｃｍ（７”）から２７．９４ｃｍ（１１”）の範囲である。
【００２０】
アフリカのジャンベドラムは典型的に０．０２５４ｃｍ（０．０１０”）から０．０３８１ｃｍ（０．０１５”）の厚みの振動膜に適合する。この特定のドラムヘッドの厚みが、この楽器に概ね関係するスラップ、オープン、およびバス音調を生成する。これらのドラムヘッドのサイズは２５．４ｃｍ（１０”）から４５．７２ｃｍ（１８”）の範囲である。
【００２１】
アフリカ系キューバのコンガドラムは典型的に０．０６３５ｃｍ（０．０２５”）から０．１０１６ｃｍ（０．０４０”）の厚みの振動膜に適合する。この特定のドラムヘッドの厚みがこの楽器を概ね連想させるスラップ、オープン、およびバス音調を生成する。こ
の楽器のヘッドのサイズは一般に２５．４ｃｍ（１０”）から３３．０２ｃｍ（１３”）の範囲である。
【００２２】
日本の締めドラムは典型的に０．０８８９ｃｍ（０．０３５”）から０．１５２４ｃｍ（０．０６０”）の厚みの振動膜に適合する。この特定のドラムヘッドの厚みが、この楽器を概ね連想させる力強く甲高い高いピッチの明瞭な音調を生成する。ドラム本体の穴から空気が漏れないのでドラムヘッドのたわみを最小限に保てる。この楽器のヘッドのサイズは２０.３２ｃｍ（８”）から３８．１ｃｍ（１５”）の範囲である。
【００２３】
３本の管または共鳴部材２６、１つの「止め具」栓３４、および０．１７７８ｍｍ（７ミル）（１ミルは１０００分の１インチ）、０．２５４ｍｍ（１０ミル）および１．０１６ｍｍ（４０ミル）の３つのドラムヘッド２０を備える本発明によるドラム１０は、投資費用、空間および輸送を省いてドゥンベック、ジャンベ、コンガおよび締めドラムの本物の音を生成することができる。したがって本発明のドラム１０は、効果的に４８.２６ｃｍ×４８.２６ｃｍ×１５．２４ｃｍ（１９”×１９”×６”）の寸法の箱または容器内に包装することができる。
【００２４】
反対にアフリカ系キューバのコンガドラムは典型的に４３．１８ｃｍ×４３．１８ｃｍ×８１.２８ｃｍ（１７”×１７”×３２”）の寸法を有し、アフリカのジャンベは典型的に３８．１ｃｍ×３８．１ｃｍ×６６．０４ｃｍ（１５”×１５”×２６”）の寸法を有し、中東のドゥンベック典型的に３３．０２ｃｍ×３３．０２ｃｍ×５０．８ｃｍ（１３”×１３”×２０”）の寸法を有し、および日本の締めドラムは典型的に４０．６４ｃｍ×４０．６４ｃｍ×２２．８６ｃｍ（１６”×１６”×９”）の寸法を有し、これらすべては本発明によるドラム１０およびそのすべての構成要素よりもかなりの空間および包装を必要とする。
【００２５】
重量比較は、ドラム本体２９．４６４ｃｍ（１１、６”）の管２６ａ、２０.３２ｃｍ（８”）の管２６ｂ、３５．５６ｃｍ（１４”）の管２６ｃおよび止め具３４（４．０８ｋｇ（９ｌｂｓ．））、と、２７．９４ｃｍ（１１”）コンガ（１１．３４ｋｇ（２５ｌｂｓ．））、２５．４ｃｍ（１０”）ジャンベ（５．８９ｋｇ（１３ｌｂｓ．））、２２．８６ｃｍ（９”）ドゥンベック（４．０８ｋｇ（９ｌｂｓ．））および２５．４ｃｍ（１０”）締めドラム（４．５３ｋｇ（１０ｌｂｓ．））を含む。
【００２６】
ドラム本体１１に平坦な底面部を有することにより、奏者４０が椅子４４に座った状態で共鳴部材２６を脚の間を通して脚４２ａ、４２ｂの上部にドラム１０を単に載せることが可能になる（図１６）。この簡素化された設計は、楽器を所定の位置に保持するために脚を締めるまたは肩または首帯を使用する必要がないので、奏者にとって極めて快適である。またコンガドラムのようにバス音調を生成するためにドラムを傾ける必要がない。
【００２７】
特定の好ましい実施形態に関連して本発明を記載するが、本発明は特定の実施形態に限定することを意図するものではないことを理解するべきである。むしろ、添付の特許請求の範囲によって定義される本発明の精神および範囲内に包含することができるすべての代替物、修正物および等価物を包含することを意図する。
【図面の簡単な説明】
【００２８】
【図１】本発明の特定の実施形態の斜視図である。
【図２】ねじ込み装着部の詳細を示す本発明の実施形態の斜視図である。
【図３】ねじ込み装着部の詳細を示す本発明の別の実施形態の斜視図である。
【図４】ねじ込み装着部の詳細を示す本発明の別の実施形態の斜視図である。
【図５】図１８に斜視的に示される本発明の実施形態の断面図である。
【図６】本発明により採用されるピッチ変調管および栓構成要素の分類を示す図である。
【図７】本発明の別の実施形態の斜視図である。
【図８Ａ】アフリカのジャンベを備える従来技術の音楽楽器の斜視図である。
【図８Ｂ】中東のドゥンベックを備える従来技術の音楽楽器の斜視図である。
【図８Ｃ】アフリカ系キューバのコンガを備える従来技術の音楽楽器の斜視図である。
【図８Ｄ】日本の締めドラムを備える従来技術の音楽楽器の斜視図である。
【図９】図１０から１５でのように音チャート上の視覚的表示に変換するためにドラムからのバス（低い）および高いピッチ音調を受信し検出するための本発明の実施形態に対するマイクロホン設置を示す図である。
【図１０】栓が設置された本発明の実施形態のための秒で音の長さを、デシベルで容量レベルを示すチャートである。
【図１１】栓が除去された本発明の実施形態のための秒で音の長さを、デシベルで容量レベルを示すチャートである。
【図１２】１５．２４ｃｍ（６インチ）の管が設置された本発明の実施形態のための秒で音の長さを、デシベルで容量レベルを示すチャートである。
【図１３】２０．３２ｃｍ（８インチ）の管が設置された本発明の実施形態のための秒で音の長さを、デシベルで容量レベルを示すチャートである。
【図１４】３５．５６ｃｍ（１４インチ）の管が設置された本発明の実施形態のための秒で音の長さを、デシベルで容量レベルを示すチャートである。
【図１５】管が除去され２０．３２ｃｍ（８インチ）の開口が露出する図７に示される本発明の実施形態のための秒で音の長さを、デシベルで容量レベルを示すチャートである。
【図１６】奏者の脚の間に保持され演奏される本発明によるドラムを示す図である。
【図１７】図１８に斜視的に示される本発明の実施形態の断面分解図である。
【図１８】本発明の別の実施形態の斜視図である。
【符号の説明】
【００２９】
１０  ドラム
１１  本体
１２  振動部材
１２  膜
１３  取付環
１４  ドラム胴
１５  ドラム耳
１６  第１の開口端
１８  第２の開口端
１９ａ、１９ｂ  マイクロホン
２０  ドラムヘッド
２１ａおよび２１ｂ  電線
２２  覆い
２４  ねじ込み開口
２６  共鳴部材
２８  第１端部
３０  第２端部
３２  フランジ部材
３４  止め具
３６  ケージャンドラム
３７  薄い木製の膜
３８  壁
４０  奏者
４２ａ、４２ｂ  脚
４４  椅子
【図１】
2008090308.tif 000003
【図２】
2008090308.tif 000004
【図３】
2008090308.tif 000005
【図４】
2008090308.tif 000006
【図５】
2008090308.tif 000007
【図６】
2008090308.tif 000008
【図７】
2008090308.tif 000009
【図８Ａ】
2008090308.tif 000010
【図８Ｂ】
2008090308.tif 000011
【図８Ｃ】
2008090308.tif 000012
【図８Ｄ】
2008090308.tif 000013
【図９】
2008090308.tif 000014
【図１０】
2008090308.tif 000015
【図１１】
2008090308.tif 000016
【図１２】
2008090308.tif 000017
【図１３】
2008090308.tif 000018
【図１４】
2008090308.tif 000019
【図１５】
2008090308.tif 000020
【図１６】
2008090308.tif 000021
【図１７】
2008090308.tif 000022
【図１８】
2008090308.tif 000023
【外国語明細書】
2008090308000001.pdf